(57)【要約】【課題】  厚紙を用いて作る厚さの薄い収納体内へ、ディスク状の板状品を安定よく固定できるように収納することのできる収納体を提供する。【解決手段】  底片２上に折り重ねられる一対のサイドフラップ８に、それぞれの上端Ｅと上端Ｅの間及び下端Ｆと下端Ｆの間が同じ幅間隔位置にあって、それぞれの幅間隔が板状品１の直径よりも短い位置に設けられるような左右の切込み線９を設けるとともに、袋片６両側に短い切欠き１０を設けることで袋片先端部両側に差込み片１１を設け、この差込み片１１を前記サイドフラップ８の切込み線９内へ挿入して、袋片６とサイドフラップ８との間に板状品を固定できる開口収納部１２を設ける。【選択図】  図１
2005324803.tif 000002
【特許請求の範囲】
【請求項１】
記録ディスク等の円形板状品を収納するための厚紙製の収納体であって、板状品を配置できる大きさの底片と、この底片の前辺に折り線を介して底片上へ折り重ねられるカバー片と、前記底片の後辺に折り線を介して底片上へ折り重ねられる長さの短い袋片と、前記底片の両側辺に折り線を介して底片上へ折り重ねられる一対のサイドフラップとを備え、
前記サイドフラップには、両側辺の長さ方向に沿った向きに、それぞれの上端と上端の間及び下端と下端の間が同じ幅間隔位置にあって、それぞれの幅間隔が板状品の直径よりも短い位置に設けられるように切り込まれた左右の切込み線を有し、
前記袋片の両側には、底片との間の折り線方向に沿った短い切欠きを設けて、袋片の先端部両側に差込み辺を設け、
前記差込み辺を前記サイドフラップの切込み線内へ挿入して、袋片とサイドフラップとの間に板状品を固定できる収納部を設けたことを特徴とする板状品の収納体。
【請求項２】
円形板状品及び方形板状品を収納するための厚紙製の収納体であって、板状品を配置できる大きさの底片と、この底片の前辺に折り線を介して底片上へ折り重ねられるカバー片と、前記底片の後辺に折り線を介して底片上へ折り重ねられる長さの短い袋片と、前記底片の両側辺に折り線を介して底片上へ折り重ねられる一対のサイドフラップとを備え、
前記サイドフラップには、両側辺の長さ方向に沿った向きに、それぞれの上端と上端の間及び下端と下端の間が異なる幅間隔位置にあって、上端と上端の間の幅間隔が板状品の横幅よりも広い位置に設けられ、下端と下端の間の幅間隔が板状品の横幅よりも狭い位置に設けられるように切り込まれた左右の切込み線を有し、
前記袋片の両側には、底片との間の折り線方向に沿った短い切欠きを設けて、袋片の先端部両側に差込み辺を設け、
前記差込み辺を前記サイドフラップの切込み線内へ挿入して、袋片とサイドフラップとの間に板状品を固定できる収納部を設けたことを特徴とする板状品の収納体。
【請求項３】
左右のサイドフラップに設けられる切込み線が、収納される板状品の直径よりも短い間隔を有するようにして平行に開設されている請求項１の板状品の収納体。
【請求項４】
左右のサイドフラップに設けられる切込み線を、この切り込みの上下両端の位置が、収納される板状品の直径よりも短い間隔を有する部分に設定されていて、切込み線の中間部が、底片の中央部側へ向けて円弧状に湾曲して開設されている請求項１の板状品の収納体。
【請求項５】
左右のサイドフラップに設けられる切込み線を、それぞれの上端と上端の間及び下端と下端の間が異なる幅間隔位置に設定されて、上端と上端の間の幅間隔が板状品の横幅よりも広い位置に設けられ、下端と下端の間の幅間隔が板状品の横幅よりも狭い位置に設けられるように、それぞれ傾斜状に切り込まれている請求項２の板状品の収納体。
【請求項６】
底片の前辺に折り線を介して連設されるカバー片の先端に、前記カバー片を底片上に折り重ねたときに、底片裏面の係止用切込み線に差込める閉じ片を備えた係止フラップを備えている請求項１，２，３または４に記載の板状品の収納体。
【請求項７】
底片とカバー片との間の折り線上に印刷頁が中綴じされている請求項１，２，３または４に記載の板状品の収納体。
【発明の詳細な説明】
【技術分野】
【０００１】
本発明は、例えば、記録ディスクなどのような円形板状品、あるいはトレーディングカード、写真などのような方形板状品を、内部へしっかりと固定して収納できる板状品収納体の構造に関する。
【背景技術】
【０００２】
従来より、板状品、例えば、記録ディスク等のような製品の収納体としては、透明プラスチック製のＣＤケースが広く知られているが、最近では、流通経路の販路拡大によって、ディスクのような板状製品を厚紙製の収納体内に収納して、これを雑誌・書籍類へ綴じ込んで販売するような方式であるとか、板状品を厚紙製の収納体内に収納して、郵便や宅配便によって移送するような流通形態が進みつつある。
【０００３】
このようなディスク用の紙製収納体の例としては、折り線を介して連設される３枚の紙片のうち、１枚に横向きのディスク挿入用開口部を設けて、この紙片と隣接する紙片とを周辺部に設けた糊で接着し、前記開口部を通してディスクを２枚の紙片の間に収納できるようにするとともに、残る１枚の紙片で開口部のある紙片の表面を閉じられるようにしたＣＤ収納体の構造などが知られている。
【０００４】
【特許文献１】特開平８−３１８９８３号公報
【特許文献２】特開２０００−７０７４号公報
【特許文献３】特開２００１−４８２７７号公報
【発明の開示】
【発明が解決しようとする課題】
【０００５】
特許文献１に示されるような収納体では、ディスク挿入用開口部を有する紙片を別の紙片と周辺部で接着して、２枚の紙片の開口部を通してディスクを出し入れできる袋状の収納部を設けたので、たしかにディスクを出し入れし易いという利点を有する。
【０００６】
しかしながら、特許文献１の収納体では、収納部に、プラスチック製ＣＤケースのようなディスク中央部の孔を止めるような突起を設けて、ディスクを収納部内へ固定できる構造になっていないので、倒立した際にディスクが袋状収納部から容易に飛び出てしまうという問題点があり、このような問題を解消するために、ディスクをプラスチック製の袋内に収納して、この袋ごと開口部を通して収納部内へ挿入し、袋の厚さによって収納部内へ収納できるようにしている。
【０００７】
また、特許文献２のディスク収納体では、ディスクが厚紙製の収納体内に固定されるように収納されるので、ディスクの収納状態は安定するが、収納体を構成する支持パネルの両側に設けられるサイドパネルの外端に、ディスク挟み込み用の切れ込みが、サイドパネルの長さ方向と直交する向きに設けられているので、ディスクの出し入れの度毎に、この切れ込みがめくられるように動かれることで、切れ込みの深さが所定の位置で止まっていずに、破断状態がどんどん延びるように進行してしまい、このようになるとサイドパネルがディスクを挟み込んでおく機能を失ってしまうという問題を有している。
【０００８】
一方、特許文献３のディスク収納体は、ディスクを収納する収納片の両側に設けた左右一対の側片に、ディスクの周縁部を保持するための前記側片の長さ方向に沿ったディスク保持片を有しているが、このディスク保持片の裏面方向へディスクの周縁部を差し込めるようにするためには、左右一対の側片を、ディスク収納片の両側に断面三角形の傾斜面が形成されるように設けないと、ディスク収納片の上面にディスク周縁部を内側へ差し込むための隙間が設けられないことになり、そのため、収納体自体に厚さが必要になり、厚紙によって厚さの薄い収納体を形成しようとする目的を達成できないという問題を有している。
【課題を解決するための手段】
【０００９】
本発明は、従来におけるこの種の収納体の問題点、例えば、特許文献１のディスク収納体のような、ディスク状板状品を収納体内へしっかりと固定できないという問題、また特許文献２の収納体のような、ディスクの出し入れの度毎に、サイドパネルに設けられたディスクの挟み込用切れ込み線の切れ目がどんどん進行して、サイドパネルがディスクを保持できる機能を失ってしまうという問題、さらに、特許文献３の収納体のような、左右一対の側片を断面三角形の傾斜面が設けられるようにしないと、ディスク周縁部を内側へ差し込むための隙間が設けらず、そのため収納体自体の厚さが必然的に大きくなって、厚紙を用いて厚さの薄い収納体を形成しようとする目的を達成できないという問題を解消することを目的としている。
【００１０】
請求項１の発明は、記録ディスク等の円形板状品を収納するための厚紙製の収納体に係るものであって、板状品を配置できる大きさの底片と、この底片の前辺に折り線を介して底片上へ折り重ねられるカバー片と、前記底片の後辺に折り線を介して底片上へ折り重ねられる長さの短い袋片と、前記底片の両側辺に折り線を介して底片上へ折り重ねられる一対のサイドフラップとを備え、前記サイドフラップには、両側辺の長さ方向に沿った向きに、それぞれの上端と上端の間及び下端と下端の間が同じ幅間隔位置にあって、それぞれの幅間隔が板状品の直径よりも短い位置に設けられるように切り込まれた左右の切込み線を有し、前記袋片の両側には、底片との間の折り線方向に沿った短い切欠きを設けて、袋片先端部両側に差込み片を設け、この差込み片を前記サイドフラップの切込み線内へ挿入して、袋片とサイドフラップとの間に板状品を固定できる収納部を設けたことを特徴とする。
【００１１】
請求項２の発明は、円形板状品だけでなく、正方形・長方形など方形板状品も収納することのできる厚紙製の収納体に係るものであって、板状品を配置できる大きさの底片と、この底片の前辺に折り線を介して底片上へ折り重ねられるカバー片と、前記底片の後辺に折り線を介して底片上へ折り重ねられる長さの短い袋片と、前記底片の両側辺に折り線を介して底片上へ折り重ねられる一対のサイドフラップとを備え、前記サイドフラップには、両側辺の長さ方向に沿った向きに、それぞれの上端と上端の間及び下端と下端の間が異なる幅間隔位置にあって、上端と上端の間の幅間隔が板状品の横幅よりも広い位置に設けられ、下端と下端の間の幅間隔が板状品の横幅よりも狭い位置に設けられるように切り込まれた左右の切込み線を有し、前記袋片の両側には、底片との間の折り線方向に沿った短い切欠きを設けて、袋片先端部両側に差込み片を設け、この差込み片を前記サイドフラップの切込み線内へ挿入して、袋片とサイドフラップとの間に板状品を固定できる収納部を設けたことを特徴とする。
【００１２】
板状品のうち記録ディスクのような円形の板状品を収納するのに適した厚紙製の収納体では、左右のサイドフラップに設けられる切込み線は、収納される板状品の直径よりも短い間隔を有するようにして、左右のフラップに平行に開設されるように設けられるが、この切込み線は必ずしも平行でなくてもよく、この切込み線の両端の位置が、収納される板状品の直径よりも短い間隔を有する部分に設定されて、切込み線の中間部が、底片の中央部側へ向けて円弧状に湾曲して開設されているような形状であってもよい。
【００１３】
一方、記録ディスクはもとより、正方形・長方形など方形の板状品も収納できる厚紙製の収納体では、左右のサイドフラップに設けられる切込み線を、それぞれの上端と上端の間及び下端と下端の間が異なる幅間隔位置に設定して、上端と上端の間の幅間隔が板状品の横幅よりも広い位置に設けられ、下端と下端の間の幅間隔が板状品の横幅よりも狭い位置に設けられるように、それぞれ傾斜状に切り込まれるような形状とすることが好ましい。
【００１４】
また、円形板状品用または方形板状品用のいずれの収納体であっても、底片の前辺には、折り線を介して底片上に折り重ねられるカバー片が連設して、このカバー片の先端に、前記カバー片を底片上に折り重ねたときに、底片裏面の係止用切込み線に差込めるような閉じ片を備えた係止フラップを設けておくことが好ましい。さらに、底片とカバー片との間の折り線上に、収納物の説明書などの印刷頁が中綴じされるように設けることが好ましい。
【発明の効果】
【００１５】
この発明のうち、請求項１の発明のような円形板状品の収納体では、底片の両側からこの底片上へ折り重ねられるように設けたサイドフラップに、それぞれの間隔が板状品の直径よりも短い幅を有するように切り込まれた左右一対の切込み線を設けて、底片と連設される袋片の上端部両側に設けた差込み片を、これらの切込み線を通してサイドフラップの裏面へ差し込む構造としたので、袋片上端部とサイドフラップとの間に板状品の下方周縁部を楽に挿入することのできる開口部が形成される。
【００１６】
円形板状品をこの開口部内へ挿入すると、サイドフラップの切込み線はその間隔が、板状品の直径よりも短く、この切込み線内には差込み片が挿入されているので、板状品の両側周縁部を切込み線内に押し込むのに少し力を必要とするが、力を加えて押し込んだ後は、差込み片がガイドの役割をはたして、その後は少しの力も必要とせずに板状品の両側周縁部を切込み線の内側へ円滑に導入でき、円形板状品を周縁部がサイドフラップの裏面へ係止された状態で、倒立しても容易に脱落しないように収納体内へ確実に収納することができる。
【００１７】
また、請求項２の発明のような円形板状品だけでなく、正方形・長方形など方形板状品も収納できる厚紙製の収納体では、底片の両側からこの底片上へ折り重ねられるように設けたサイドフラップに、上方の幅間隔が板状品の横幅よりも広い位置にあり、下方の幅間隔が板状品の横幅よりも狭い位置にあるような左右の切込み線を傾斜状に設けて、底片と連設される袋片の上端部両側に設けた差込み片を、これらの切込み線を通してサイドフラップの裏面へ差し込む構造としたので、袋片上端部とサイドフラップとの間に板状品を楽に挿入することのできる開口部が形成される。
【００１８】
この収納体の板状品開口収納部は、サイドフラップの切込み線を、上方の幅間隔が板状品の横幅よりも広く、下方の幅間隔が板状品の横幅よりも狭いような傾斜状に設けてあって、この切込み線内には差込み片が挿入されているので、板状品の横幅が切込み線の上方幅間隔内に挿通できる幅寸法のものであれば、板状品を袋片上端部とサイドフラップとの間の開口部内へ少しも力を加えることなく落とし込んで収納することができる。
【発明を実施するための最良の形態】
【００１９】
板状品の収納体としては、底片上へ折り重ねられるサイドフラップに、それぞれの間隔が板状品の直径よりも短い幅の左右一対の切込み線を設けて、袋片の上端部両側に設けた差込み片を、これらの切込み線を通してサイドフラップの裏面へ差し込む構造とし、差込み片に板状品周縁部を切込み線内へ円滑に差し込めるようなガイドの役割を与えて、差し込みの際に少し力を加えることで板状品の両側周縁部を切込み線の内側へ差し込むことができ、差し込まれた後は板状品の周縁部がサイドフラップの裏面に係止されて収納体内へ確実に収納固定できるような形態とすることが好ましい。
【実施例】
【００２０】
次に、本発明に係る板状品の収納体の構造を図面に示す実施例について説明すると、図１は板状品のうち、特に記録ディスク等のような円形板状品を収納するための収納体の構造に関するものであり、図２に示すように、板状品１を配置できる大きさの厚紙製の底片２と、この底片２の前辺に折り線３を介して底片２上へ折り重ねられるカバー片４と、前記底片２の後辺に折り線５を介して底片２上へ折り重ねられる長さの短い袋片６と、前記底片２の両側辺に折り線７を介して底片２上へ折り重ねられる一対のサイドフラップ８，８とを備えている。
【００２１】
前記サイドフラップ８，８には、折り線７の長さ方向に沿った向きに、左右の一対の切込み線９，９が切り込まれており、これらの切込み線９，９は、一方の切込み線９の上下両端位置Ｅ，Ｆと他方の切込み線９の上下両端位置Ｅ，Ｆとの間、つまり、一方の上端Ｅと他方の上端Ｅの間及び一方の下端Ｆと他方の下端Ｆの間が、いずれも同じ幅間隔Ｗにあるように平行線状に設けられ、かつ、それぞれの幅間隔Ｗが板状品１の直径Ｄよりも短い位置に設けられている。
【００２２】
また、図２のように、前記袋片６の両側には、底片２との間の折り線５の方向に沿った短い切欠き１０，１０を設けることで、袋片６の先端部両側に差込み辺１１，１１を設け、図１のように、これらの差込み辺１１，１１を前記サイドフラップ８，８の切込み線９，９内へ挿入することで、袋片６とサイドフラップ８，８との間に板状品１を挿入できる開口収納部１２が設けられている。
【００２３】
なお、左右のサイドフラップ８，８に設けられる切込み線９，９は、図１に示すように、一方の上下両端位置Ｅ，Ｆと他方の上下両端位置Ｅ，Ｆとの間がいずれも同じ幅間隔Ｗにあって、それぞれの幅間隔Ｗが板状品１の直径Ｄよりも短い位置に設けられていれば、必ずしも平行線状になっていなくともよく、例えば、図５に示すように、これらの切込み線９，９の中間部が、底片２の中央部側へ向けて円弧状に湾曲したものであってもよい。
【００２４】
底片２の前辺に折り線３を介して連設されるカバー片４の先端には、折り線１４介して係止フラップ１３を設け、この係止フラップ１３に前記カバー片４を底片２上に折り重ねたときに、底片２の裏面に設けた係止用切込み線１５に差込める閉じ片１６が設けられている。
【００２５】
図２に示すシートを図１の収納体のように折り畳む際には、まず、底片２の両側に設けられたサイドフラップ８，８を、底片２の上へ折り重ねるとともに、袋片６の上端部両側に設けた差込み片１１，１１を、これらの切込み線９，９を通してサイドフラップ８，８の裏面へ差し込むことによって、袋片６上端部とサイドフラップ８，８との間に板状品１の下方周縁部を楽に挿入することのできる開口収納部１２が形成される。
【００２６】
ディスクのような円形板状品１をこの開口収納部１２内へ挿入する過程において、図４ａに示すように、板状品１の下方周縁部Ｇ１間の幅が左右の切込み線９，９の幅間隔Ｗよりも短いうちは、板状品１は抵抗なく開口収納部１２内へ落とし込める。しかし、切込み線９，９の幅間隔Ｗは板状品１の直径Ｄより短いので、図４ｂのように、板状品１の直径Ｄ手前部分の両側周縁部Ｇ２が切込み線９，９の位置に到ると、板状品１は切込み線９，９の位置で停止して落とし込めなくなる。
【００２７】
この状態で板状品１を開口収納部１２内の下方へ少し力を加えて深く差し込むと、板状品１の直径Ｄよりやや下方部分の両側周縁部Ｇ２がサイドフラップの切込み線９，９内へ差し込まれることになる。その時、単に切込み線９，９が設けられているだけでは、両側周縁部Ｇ２を、切込み線９，９内からサイドフラップ８，８の内側方向へ差し込ませることはできないが、切込み線９，９内には袋片６の上端部両側の差込み片１１，１１が挿通されているので、図４ｃのように、板状品１の両側周縁部Ｇ２が差込み片１１，１１に案内されて切込み線９，９の内側へ差込まれることになる。
【００２８】
図４ｂに示すように、板状品１の周縁部Ｇ２が切込み線９，９内へ押し込まれようとする時、周縁部Ｇ２は差込み片１１，１１の裏面方向へ差し込まれることで、サイドフラップ８，８の外縁部８ａが周縁部Ｇ２の下方へ押し下げられることになり、差込み片１１，１１は逆に上方へ押し上げられる力を受け、袋片６の上端部６ａが膨らんで浮き上がるように変形する。これにより図４ｃにように、差込み片１１，１１がガイドの役割をはたして、その後は少しの力も必要とすることなく、周縁部Ｇ３を差込み片１１，１１の下面へ円滑に導入することができる。もとより、周縁部Ｇ３が切込み線９，９の内側へ収納された状態では、板状品１を収納体に確実に収納することができる。
【００２９】
板状品１を収納体内から取り出す際には、開口収納部１２内に収納されている板状品１の上縁部を保持して上方へ引き上げれば、前記とは逆に、板状品１の周縁部Ｇ３が切込み線９，９内から引き出される時に僅かな抵抗を受けるが、引き続き引き上げれば、図４ｃの状態から図４ｂのように、差込み片１１，１１が膨れあがるように変形して切込み線９，９を開き、周縁部Ｇ３が切込み線９，９内から引き出され易い状態をつくって、周縁部Ｇ３を無理なく取り出すことができる。
【００３０】
図６は本発明に別の実施例を示すものであり、この場合は、円形の板状品１だけでなく、正方形・長方形など方形板状品１も収納することのできる厚紙製の収納体に係るものである。
【００３１】
この場合の収納体も図７に示すように、板状品１を配置できる大きさの厚紙製の底片２と、この底片２周囲にカバー片４と、袋片６と、一対のサイドフラップ８，８とを備えていること、及び袋片６の上端部両側に設けた差込み片１１，１１を、サイドフラップ８，８に設けた切込み線９，９を通してサイドフラップ８，８の裏面へ差し込む構造とした点は図１の収納体と共通している。
【００３２】
図６の厚紙製収納体では、底片６の両側に設けたサイドフラップ８，８に、上方の幅間隔Ｗ１が板状品１の横幅Ｄよりも広い位置にあり、下方の幅間隔Ｗ２が板状品１の横幅Ｄよりも狭い位置にあるような左右の切込み線９，９を傾斜状に設けて、底片２と連設される袋片６の上端部両側に設けた差込み片１１，１１を、これらの切込み線９，９を通してサイドフラップ８，８の裏面へ差し込む構造とした点に特徴を有する。
【００３３】
この収納体の板状品開口部１２は、サイドフラップ８，８の切込み線９，９を、上方の幅間隔Ｗ１が板状品１の横幅Ｄよりも広く、下方の幅間隔Ｗ２が板状品１の横幅Ｄよりも狭いような傾斜状に設けてあって、この切込み線９，９内には差込み片１１，１１が挿入されているので、図８のように、板状品１の横幅Ｄが切込み線９，９の上方幅間隔Ｗ１内に挿通できる幅寸法のものであれば、板状品１を袋片上端部６ａとサイドフラップ８，８との間の開口収納部１２内へ少しも力を加えることなく落とし込んで収納することができる。
【００３４】
この収納体の板状品開口収納部１２は、サイドフラップの切込み線９，９を、上方の幅間隔Ｗ１が板状品１の横幅Ｄよりも広い傾斜状に設けたので、板状品１を開口収納部１２内へ落とし込めば、板状品１の下縁両端部が下方の幅間隔Ｗ２の位置で支持されることになり、板状品１を開口収納部１２内へ確実に固定収納することができる。
【００３５】
図９は、さらに別の実施例を示しており、この収納体は、底片２とカバー片４との間の折り線３上に収納する板状品の説明などを記載した印刷頁１７をステッチャーあるいは接着剤などにより中綴じしたものである。
【産業上の利用可能性】
【００３６】
本発明に係る板状品の収納体のうち、第１の実施例のように、サイドフラップに設ける切込み線９，９の幅間隔Ｗを、円形板状品１の直径Ｄよりも小さくした構造では、板状品１をただ単に開口収納部１２内へ落とし込んだだけでなく、収納体内に容易に脱落することのないように収納することができるので、この種の他製品に比較して板状品を安全に移送できる、信頼性の高い収納体とすることができる。
【図面の簡単な説明】
【００３７】
【図１】本発明に係る板状品収納体の１実施例における構成を示す斜視図。
【図２】図１の収納体の組立前の展開斜視図。
【図３】図１のＡ−Ａ線における断面図。
【図４】図３の断面図部分に板状品を挿入した時の各状態を接着する断面図。
【図５】図１の収納体における切込み線の別の形状を示す斜視図。
【図６】本発明に係る収納体の別の実施例の形状を示す斜視図。
【図７】図６の収納体の組立前の展開斜視図。
【図８】図６のＢ−Ｂ線における断面図。
【図９】さらに別の実施形態を示す斜視図。
【符号の説明】
【００３８】
１：板状品、
２：底片、
３：折り線、
４：カバー片、に指図実施例に作用を啓示示す状態のｋ下縁部状態はかっこ指図５：折り線、
６：袋片
７：折り線、
８：サイドフラップ、
９：切込み線、
１０：切欠き、
１１：差込み片、
１２：開口収納部、
１３：係止フラップ、
１４：折り線、
１５：係止用切込み線、
１６：閉じ片、
１７：印刷頁印
【図１】
2005324803.tif 000003
【図２】
2005324803.tif 000004
【図３】
2005324803.tif 000005
【図４】
2005324803.tif 000006
【図５】
2005324803.tif 000007
【図６】
2005324803.tif 000008
【図７】
2005324803.tif 000009
【図８】
2005324803.tif 000010
【図９】
2005324803.tif 000011